【手続補正書】
【提出日】平成18年12月11日(2006.12.11)
【手続補正１】
【補正対象書類名】明細書
【補正対象項目名】特許請求の範囲
【補正方法】変更
【補正の内容】
【特許請求の範囲】
【請求項１】  導電性支持体および導電性支持体上に設けられた感光層を有する電子写真感光体において、
該感光層が、同一分子内に２つ以上の連鎖重合性官能基を有する正孔輸送性化合物の重合体、および、潤滑材を含有することを特徴とする電子写真感光体。
【請求項２】  前記感光層が、電荷発生層および電荷輸送層をこの順に積層した構成であり、該電荷輸送層が、前記同一分子内に２つ以上の連鎖重合性官能基を有する正孔輸送性化合物の重合体、および、前記潤滑材を含有する請求項１に記載の電子写真感光体。
【請求項３】  前記潤滑材が、フッ素原子含有樹脂、フッ化カーボンおよびポリオレフィン系樹脂からなる群から選ばれた少なくとも１種である請求項１または２に記載の電子写真感光体。
【請求項４】  前記同一分子内に２つ以上の連鎖重合性官能基を有する正孔輸送性化合物が、下記一般式（１）で示される化合物である請求項１〜３のいずれかに記載の電子写真感光体。
【化１】
2001166509.tif 000001
（一般式（１）中、Ａは正孔輸送性基を示す。Ｐ１およびＰ２は連鎖重合性官能基を示し、Ｐ１とＰ２は同一であっても異なっていてもよい。Ｚは置換基を有してもよい有機基を示す。ａ、ｂおよびｄは０または１以上の整数を示し、ａ＋ｂ×ｄは２以上の整数を示し、ａが２以上の場合Ｐ１は同一であっても異なっていてもよく、ｄが２以上の場合Ｐ２は同一であっても異なっていてもよく、ｂが２以上の場合ＺおよびＰ２は同一であっても異なっていてもよい。）
【請求項５】  前記一般式（１）中のＡの、ＡとＰ１との結合部位およびＡとＺとの結合部位を水素原子に置き換えた正孔輸送性化合物が、下記一般式（２）で示される化合物、下記一般式（３）で示される化合物、下記一般式（４）で示される化合物、下記一般式（５）で示される化合物、下記一般式（７）で示される化合物、縮合環炭化水素、および、縮合複素環（ただし、下記一般式（７）で示される化合物、縮合環炭化水素、および、縮合複素環は、下記一般式（８）で示される置換基を有する。）からなる群から選ばれた少なくとも１種である請求項４に記載の電子写真感光体。
【化２】
2001166509.tif 000002
（一般式（２）中、Ｒ１、Ｒ２およびＲ３は置換基を有してもよいアルキル基、置換基を有してもよいアラルキル基、または、置換基を有してもよいアリール基を示し、Ｒ１、Ｒ２およびＲ３の少なくとも２つはアリール基を示し、Ｒ１、Ｒ２およびＲ３はそれぞれ同一であっても異なっていてもよい。）
【化３】
2001166509.tif 000003
（一般式（３）中、Ｒ４、Ｒ５、Ｒ８およびＲ９は置換基を有してもよいアルキル基、置換基を有してもよいアラルキル基、または、置換基を有してもよいアリール基を示し、Ｒ４、Ｒ５、Ｒ８およびＲ９は同一であっても異なっていてもよく、Ｒ６およびＲ７は置換基を有してもよいアルキル基、または、置換基を有してもよいアリーレン基を示し、Ｒ６およびＲ７は同一であっても異なっていてもよい。Ｑは置換基を有してもよい有機基を示す。）
【化４】
2001166509.tif 000004
（一般式（４）中、Ｒ１０、Ｒ１１、Ｒ１２およびＲ１３は置換基を有してもよいアルキル基、置換基を有してもよいアラルキル基、または、置換基を有してもよいアリール基を示し、Ｒ１０、Ｒ１１、Ｒ１２およびＲ１３はそれぞれ同一であっても異なっていてもよい。Ａｒ１およびＡｒ２は置換基を有してもよいアリーレン基を示し、それぞれ同一でも異なってもよい。ｍ１は０または１を示す。）
【化５】
2001166509.tif 000005
（一般式（５）中、Ａｒ３およびＡｒ４は置換基を有してもよいアリール基を示し、Ａｒ３およびＡｒ４は同一であっても異なっていてもよい。Ｒ１４は置換基を有してもよいアルキル基、置換基を有してもよいアラルキル基、または、置換基を有してもよいアリール基を示す。Ａｒ３、Ａｒ４およびＲ１４のうち少なくとも１つは、下記一般式（６）で示される置換基を有する。）
【化６】
2001166509.tif 000006
（一般式（６）中、Ｒ１５およびＲ１６は置換基を有してもよいアルキル基、置換基を有してもよいアラルキル基、置換基を有してもよいアリール基、または、水素原子を示し、Ｒ１５およびＲ１６は同一であっても異なってもよい。Ａｒ５は置換基を有してもよいアリール基を示す。ｎ１は０、１または２を示す。）
【化７】
2001166509.tif 000007
（一般式（７）中、Ｒ１７およびＲ１８は置換基を有してもよいアルキル基、置換基を有してもよいアラルキル基、または、置換基を有してもよいアリール基を示し、Ｒ１７およびＲ１８は同一でも異なってもよい。Ａｒ６は置換基を有してもよいアリール基を示す。）
【化８】
2001166509.tif 000008
（一般式（８）中、Ｒ１９およびＲ２０は置換基を有してもよいアルキル基、置換基を有してもよいアラルキル基、置換基を有してもよいアリール基、または、水素原子を示し、Ｒ１９およびＲ２０は同一であっても異なっていてもよい。Ａｒ７は置換基を有してもよいアリール基を示し、ｎ２は０、１または２を示す。）
【請求項６】  前記一般式（１）中のＺまたは前記一般式（３）中のＱが、置換基を有してもよいアルキレン、置換基を有してもよいアリーレン、ＣＲ２１＝ＣＲ２２（Ｒ２１およびＲ２２は置換基を有してもよいアルキル基、置換基を有してもよいアリール基または水素原子を示し、Ｒ２１およびＲ２２は同一でも異なってもよい。）、Ｃ＝Ｏ、Ｓ＝Ｏ、ＳＯ２、酸素原子および硫黄原子からなる群から選ばれた１つの、または２つ以上が組み合わされてなる有機基である請求項５に記載の電子写真感光体。
【請求項７】  前記一般式（１）中のＺまたは前記一般式（３）中のＱが、下記一般式（９）で示される基である請求項５または６に記載の電子写真感光体。
【化９】
2001166509.tif 000009
（一般式（９）中、Ｘ１〜Ｘ３は置換基を有してもよいアルキレン基、（ＣＲ２３＝ＣＲ２４）ｍ２、Ｃ＝Ｏ、Ｓ＝Ｏ、ＳＯ２、酸素原子、または、硫黄原子を示す。Ａｒ８およびＡｒ９は置換基を有してもよいアリーレン基を示す。Ｒ２３およびＲ２４は置換基を有してもよいアルキル基、置換基を有してもよいアリール基、または、水素原子を示し、Ｒ２３およびＲ２４は同一であっても異なっていてもよい。ｍ２は１〜５の整数を示し、ｐ、ｑ、ｒ、ｓおよびｔは０〜１０の整数を示すが、同時に０であることはない。）
【請求項８】  前記一般式（１）中のＺまたは前記一般式（３）中のＱが、下記一般式（１０）で示される基である請求項５または６に記載の電子写真感光体。
【化１０】
2001166509.tif 000010
（一般式（１０）中、Ａｒ１０は置換基を有してもよい２価のアリーレン基を示す。Ｘ４およびＸ５は（ＣＨ２）ｍ３、（ＣＨ＝ＣＲ２５）ｍ４、Ｃ＝Ｏ、または、酸素原子を示す。Ｒ２５は置換基を有してもよいアルキル基、置換基を有してもよいアリール基、または、水素原子を示す。ｍ３は１〜１０の整数を示し、ｍ４は１〜５の整数を示す。ｕ、ｖおよびｗは０〜１０の整数を示すが、同時に０であることはない。）
【請求項９】  前記一般式（２）中のＲ１、Ｒ２およびＲ３が置換基を有してもよいアリール基である請求項５〜８のいずれかに記載の電子写真感光体。
【請求項１０】  前記一般式（３）中のＲ４、Ｒ５、Ｒ８およびＲ９のうち少なくとも２つが置換基を有してもよいアリール基であり、かつ、Ｒ６およびＲ７が置換基を有してもよいアリーレン基である請求項５〜８のいずれかに記載の電子写真感光体。
【請求項１１】  前記一般式（３）中のＲ４、Ｒ５、Ｒ８およびＲ９がいずれも置換基を有してもよいアリール基である請求項１０に記載の電子写真感光体。
【請求項１２】  前記一般式（４）中のＲ１０およびＲ１１が置換基を有してもよいアリール基である請求項５〜８のいずれかに記載の電子写真感光体。
【請求項１３】  前記一般式（４）中のｍ１が１であり、かつ、Ｒ１０、Ｒ１１、Ｒ１２およびＲ１３がいずれも置換基を有してもよいアリール基である請求項１２に記載の電子写真感光体。
【請求項１４】  前記一般式（５）中のＲ１４が置換基を有してもよいアリール基である請求項５〜８のいずれかに記載の電子写真感光体。
【請求項１５】  前記一般式（６）中のＲ１６が置換基を有してもよいアリール基である請求項１４に記載の電子写真感光体。
【請求項１６】  前記一般式（８）中のＲ２０が置換基を有してもよいアリール基である請求項５〜８のいずれかに記載の電子写真感光体。
【請求項１７】  前記一般式（７）中のＲ１７およびＲ１８が置換基を有してもよいアリール基である請求項１６に記載の電子写真感光体。
【請求項１８】  前記連鎖重合性官能基Ｐ１およびＰ２の一方または両方が、下記一般式（１１）で示される不飽和重合性官能基である請求項４〜１７のいずれかに記載の電子写真感光体。
【化１１】
2001166509.tif 000011
（一般式（１１）中、Ｅは水素原子、ハロゲン原子、置換基を有してもよいアルキル基、置換基を有してもよいアリール基、シアノ基、ニトロ基、アルコキシ基、−ＣＯＯＲ２６（Ｒ２６は水素原子、ハロゲン原子、置換基を有してもよいアルキル基、置換基を有してもよいアラルキル基、または、置換基を有してもよいアリール基を示す。）、または、−ＣＯＮＲ２７Ｒ２８（Ｒ２７およびＲ２８は水素原子、ハロゲン原子、置換基を有してもよいアルキル基、置換基を有してもよいアラルキル基、または、置換基を有してもよいアリール基を示し、互いに同一であっても異なっていてもよい。）を示す。Ｗは置換基を有してもよい２価のアリール基、置換基を有してもよい２価のアルキレン基、−ＣＯＯ−、−ＣＨ２−、−Ｏ−、−ＯＯ−、−Ｓ−、または、−ＣＯＮＲ２９−（Ｒ２９は水素原子、ハロゲン原子、置換基を有してもよいアルキル基、置換基を有してもよいアラルキル基、または、置換基を有してもよいアリール基を示す。）を示す。ｆは０または１を示す。）
【請求項１９】  前記連鎖重合性官能基Ｐ１およびＰ２の一方または両方が、下記一般式（１２）で示される環状エーテル基である請求項４〜１７のいずれかに記載の電子写真感光体。
【化１２】
2001166509.tif 000012
（一般式（１２）中、Ｒ３０およびＲ３１は水素原子、置換基を有してもよいアルキル基、置換基を有してもよいアラルキル基、または、置換基を有してもよいアリール基を示す。ｎは１〜１０の整数を示す。）
【請求項２０】  前記連鎖重合性官能基Ｐ１およびＰ２の一方または両方が、下記一般式（１３）で示される脂環式エポキシ基である請求項４〜１７のいずれかに記載の電子写真感光体。
【化１３】
2001166509.tif 000013
（一般式（１３）中、Ｒ３２およびＲ３３は水素原子、置換基を有してもよいアルキル基、置換基を有してもよいアラルキル基、または、置換基を有してもよいアリール基を示す。ｎは０〜１０の整数を示す。）
【請求項２１】  前記連鎖重合性官能基Ｐ１およびＰ２の一方または両方が、下記構造式（１４）〜（２０）のいずれかで示される基である請求項１〜１７のいずれかに記載の電子写真感光体。
【化１４】
2001166509.tif 000014
【請求項２２】  前記同一分子内に２つ以上の連鎖重合性官能基を有する正孔輸送性化合物の酸化電位が、０．４〜１．２（Ｖ）である請求項４〜２１のいずれかに記載の電子写真感光体。
【請求項２３】  前記重合体が、前記同一分子内に２つ以上の連鎖重合性官能基を有する正孔輸送性化合物を電子線によって重合させることによって得られる重合体である請求項１〜２２のいずれかに記載の電子写真感光体。
【請求項２４】  前記電子線の加速電圧が、２５０ｋＶ以下である請求項２３に記載の電子写真感光体。
【請求項２５】  前記電子線の線量が、１〜１００Ｍｒａｄである請求項２３または２４に記載の電子写真感光体。
【請求項２６】  請求項１〜２５のいずれかに記載の電子写真感光体、一次帯電手段、像露光手段、現像手段および転写手段を有することを特徴とする電子写真装置。
【請求項２７】  請求項１〜２５のいずれかに記載の電子写真感光体と、一次帯電手段、現像手段およびクリーニング手段の少なくとも１つとを一体に支持し、電子写真装置の装置本体に対して着脱可能に構成されてなることを特徴とするプロセスカートリッジ。
【手続補正２】
【補正対象書類名】明細書
【補正対象項目名】００１４
【補正方法】変更
【補正の内容】
【００１４】
【課題を解決するための手段】
本発明者らは鋭意研究を重ねた結果、導電性支持体および導電性支持体上に設けられた感光層を有する電子写真感光体において、
該感光層が、同一分子内に２つ以上の連鎖重合性官能基を有する正孔輸送性化合物の重合体、および、潤滑材を含有することを特徴とする電子写真感光体が前述の課題を解決するものであることを見出した。
【手続補正３】
【補正対象書類名】明細書
【補正対象項目名】００２４
【補正方法】変更
【補正の内容】
【００２４】
上記で説明したような本発明に係わる連鎖重合性官能基の中でも、下記の一般式（１１）〜（１３）で示されるものが好ましい。
【手続補正４】
【補正対象書類名】明細書
【補正対象項目名】００２５
【補正方法】変更
【補正の内容】
【００２５】
【化１５】
2001166509.tif 000015
一般式（１１）中、Ｅは水素原子、フッ素、塩素、臭素等のハロゲン原子、置換基を有してもよいメチル基、エチル基、プロピル基、ブチル基等のアルキル基、置換基を有してもよいベンジル基、フェネチル基、ナフチルメチル基、フルフリル基、チエニル基等のアラルキル基、置換基を有してもよいフェニル基、ナフチル基、アンスリル基、ピレニル基、チオフェニル基、フリル基等のアリール基、ＣＮ基、ニトロ基、メトキシ基、エトキシ基、プロポキシ基等のアルコキシ基、−ＣＯＯＲ２６、または、−ＣＯＮＲ２７Ｒ２８を示す。
【手続補正５】
【補正対象書類名】明細書
【補正対象項目名】００２９
【補正方法】変更
【補正の内容】
【００２９】
【化１６】
2001166509.tif 000016
一般式（１２）中、Ｒ３０およびＲ３１は水素原子、置換基を有してもよいメチル基、エチル基、プロピル基、ブチル基等のアルキル基、置換基を有してもよいベンジル基、フェネチル基等のアラルキル基、または置換基を有してもよいフェニル基、ナフチル基等のアリール基を示す。ｎは１〜１０の整数を示す。
【手続補正６】
【補正対象書類名】明細書
【補正対象項目名】００３０
【補正方法】変更
【補正の内容】
【００３０】
【化１７】
2001166509.tif 000017
一般式（１２）中、Ｒ３２およびＲ３３は水素原子、置換基を有してもよいメチル基、エチル基、プロピル基、ブチル基等のアルキル基、置換基を有してもよいベンジル基、フェネチル基等のアラルキル基、または置換基を有してもよいフェニル基、ナフチル基等のアリール基を示す。ｎは０〜１０の整数を示す。
【手続補正７】
【補正対象書類名】明細書
【補正対象項目名】００３２
【補正方法】変更
【補正の内容】
【００３２】
また、上記一般式（１１）から（１３）の中でも、更に特に好ましい連鎖重合性官能基としては、構造式（１４）〜（２０）で示される基が挙げられる。
【手続補正８】
【補正対象書類名】明細書
【補正対象項目名】００３３
【補正方法】変更
【補正の内容】
【００３３】
【化１８】
2001166509.tif 000018
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】変更
【補正の内容】
【００３９】
さらに構造式（１４）から（２０）の中でも、構造式（１４）のアクリロイルオキシ基および構造式（１５）のメタクリロイルオキシ基が、重合特性などの点から特に好ましい。
【手続補正１５】
【補正対象書類名】明細書
【補正対象項目名】００４２
【補正方法】変更
【補正の内容】
【００４２】
それらの連鎖重合性官能基を少なくとも２つ有する正孔輸送性化合物としては下記の一般式（１）で示される。
【手続補正１６】
【補正対象書類名】明細書
【補正対象項目名】００４３
【補正方法】変更
【補正の内容】
【００４３】
【化１９】
2001166509.tif 000019
一般式（１）中、Ｐ１およびＰ２は連鎖重合性官能基を示し、Ｐ１とＰ２は同一であっても異なっていてもよい。Ｚは置換基を有してもよい有機基を示す。ａ、ｂおよびｄは０または１以上の整数を示し、ａ＋ｂ×ｄは２以上の整数を示す。また、ａが２以上の場合Ｐ１は同一であっても異なっていてもよく、ｄが２以上の場合Ｐ２は同一であっても異なっていてもよく、ｂが２以上の場合ＺおよびＰ２は同一であっても異なっていてもよい。
【手続補正１７】
【補正対象書類名】明細書
【補正対象項目名】００４６
【補正方法】変更
【補正の内容】
【００４６】
更に上記正孔輸送化合物の中でも、下記一般式（２）で示される化合物、下記一般式（３）で示される化合物、下記一般式（４）で示される化合物、下記一般式（５）で示される化合物および下記一般式（７）で示される化合物、縮合環炭化水素、および、縮合複素環（ただし、下記一般式（７）で示される化合物、縮合環炭化水素、および、縮合複素環は、下記一般式（８）で示される置換基を有する。）が好ましい。その中でも一般式（２）、（３）及び（４）で示される化合物である場合が特に好ましい。
【手続補正１８】
【補正対象書類名】明細書
【補正対象項目名】００４７
【補正方法】変更
【補正の内容】
【００４７】
【化２０】
2001166509.tif 000020
上記一般式（２）中、Ｒ１、Ｒ２およびＲ３は置換基を有してもよいメチル基、エチル基、プロピル基、ブチル基等の炭素原子数１〜１０のアルキル基、置換基を有してもよいベンジル基、フェネチル基、ナフチルメチル基、フルフリル基、チエニル基等のアラルキル基、または置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基及びベンゾチオフェニル基等のアリール基を示す。
【手続補正１９】
【補正対象書類名】明細書
【補正対象項目名】００５１
【補正方法】変更
【補正の内容】
【００５１】
【化２１】
2001166509.tif 000021
上記一般式（３）中、Ｒ４、Ｒ５、Ｒ８及びＲ９は置換基を有してもよいメチル基、エチル基、プロピル基、ブチル基等の炭素原子数１〜１０のアルキル基、置換基を有してもよいベンジル基、フェネチル基、ナフチルメチル基、フルフリル基、チエニル基等のアラルキル基、または置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基を示し、Ｒ４、Ｒ５、Ｒ８及びＲ９はそれぞれ同一であっても異なっていてもよい。Ｒ６及びＲ７は置換基を有してもよいメチレン基、エチレン基、及びプロピレン基等の炭素数１０以下のアルキレン基、又は置換基を有してもよいアリーレン基（ベンゼン、ナフタレン、アントラセン、フェナンスレン、ピレン、チオフェン、フラン、ピリジン、キノリン、ベンゾキノリン、カルバゾール、フェノチアジン、ベンゾフラン、ベンゾチオフェン、ジベンゾフラン、ジベンゾチオフェン等より２個の水素原子を取り除いた基）を示し、Ｒ６及びＲ７は同一であっても異なっていてもよい。Ｑは置換基を有してもよい有機基を示す。
【手続補正２０】
【補正対象書類名】明細書
【補正対象項目名】００５４
【補正方法】変更
【補正の内容】
【００５４】
【化２２】
2001166509.tif 000022
上記一般式（４）中、ｍ１は０又は１を示し、ｍ１＝１である場合が好ましい。Ｒ１０〜Ｒ１３は置換基を有してもよいメチル基、エチル基、プロピル基、ブチル基等の炭素原子数１〜１０のアルキル基、置換基を有してもよいベンジル基、フェネチル基、ナフチルメチル基、フルフリル基、チエニル基等のアラルキル基、または置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基を示し、Ｒ１０〜Ｒ１３はそれぞれ同一であっても異なっていてもよい。
【手続補正２１】
【補正対象書類名】明細書
【補正対象項目名】００５８
【補正方法】変更
【補正の内容】
【００５８】
【化２３】
2001166509.tif 000023
但し、上記一般式（５）中、Ａｒ３、Ａｒ４およびＡｒ１４のうち少なくとも１つは、下記一般式（６）で示される置換基を有する。
【手続補正２２】
【補正対象書類名】明細書
【補正対象項目名】００５９
【補正方法】変更
【補正の内容】
【００５９】
【化２４】
2001166509.tif 000024
上記一般式（５）および（６）中、Ａｒ３、Ａｒ４およびＡｒ５は置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基を示す。Ｒ１４、Ｒ１５およびＲ１６は置換基を有してもよいメチル基、エチル基、プロピル基、ブチル基等の炭素原子数１〜１０のアルキル基、置換基を有してもよいベンジル基、フェネチル基、ナフチルメチル基、フルフリル基、チエニル基等のアラルキル基、置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基または水素原子を示す。但し、Ｒ１４が水素原子である場合は除く。尚、Ａｒ３およびＡｒ４とＲ１５およびＲ１６はそれぞれ同一であっても異なっていてもよい。
【手続補正２３】
【補正対象書類名】明細書
【補正対象項目名】００６１
【補正方法】変更
【補正の内容】
【００６１】
また、Ｒ１４またはＡｒ３またはＡｒ４のうち任意の２つ、またはＡｒ５およびＲ１６はそれぞれ直接もしくは結合基を介して結合してもよく、その結合基としては、メチレン、エチレン、プロピレン等のアルキレン基、酸素、硫黄原子などのヘテロ原子、ＣＨ＝ＣＨ基等が挙げられる。ｎ１は０、１または２の整数を示す。
【手続補正２４】
【補正対象書類名】明細書
【補正対象項目名】００６２
【補正方法】変更
【補正の内容】
【００６２】
【化２５】
2001166509.tif 000025
但し、上記一般式（７）は、下記一般式（８）で示される置換基を有する。
【手続補正２５】
【補正対象書類名】明細書
【補正対象項目名】００６３
【補正方法】変更
【補正の内容】
【００６３】
【化２６】
2001166509.tif 000026
上記一般式（７）および（８）中、Ａｒ６よびＡｒ７置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基を示す。Ｒ１７、Ｒ１８、Ｒ１９およびＲ２０は置換基を有してもよいメチル基、エチル基、プロピル基、ブチル基等の炭素原子数１〜１０のアルキル基、置換基を有してもよいベンジル基、フェネチル基、ナフチルメチル基、フルフリル基、チエニル基等のアラルキル基、置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基または水素原子を示す。但し、Ｒ１７およびＲ１８が水素原子である場合は除く。尚、Ｒ１７とＲ１８およびＲ１９とＲ２０はそれぞれ同一であっても異なっていてもよい。
【手続補正２６】
【補正対象書類名】明細書
【補正対象項目名】００６５
【補正方法】変更
【補正の内容】
【００６５】
また、Ｒ１７、Ｒ１８およびＡｒ６のうち任意の２つ、またはＡｒ７およびＲ２０はそれぞれ直接もしくは結合基を介して結合してもよく、その結合基としては、メチレン、エチレン、プロピレン等のアルキレン基、酸素、硫黄原子などのヘテロ原子、ＣＨ＝ＣＨ基等が挙げられる。ｎ２は０、１または２の整数を示す。
【手続補正２７】
【補正対象書類名】明細書
【補正対象項目名】００６７
【補正方法】変更
【補正の内容】
【００６７】
また、上記一般式（１）中のＺまたは上記一般式（３）中のＱは、置換基を有してもよいアルキレン、置換基を有してもよいアリーレン、ＣＲ２１＝ＣＲ２２（Ｒ２１およびＲ２２はアルキル基、アリール基または水素原子を示し、Ｒ２１およびＲ２２は同一でも異なってもよい。）、Ｃ＝Ｏ、Ｓ＝Ｏ、ＳＯ２、酸素原子および硫黄原子からなる群から選ばれた１つまたは２つ以上が組み合わされた有機基を示す。その中でも下記一般式（９）で示される基が好ましく、下記一般式（１０）で示される基が特に好ましい。
【手続補正２８】
【補正対象書類名】明細書
【補正対象項目名】００６８
【補正方法】変更
【補正の内容】
【００６８】
【化２７】
2001166509.tif 000027
【手続補正２９】
【補正対象書類名】明細書
【補正対象項目名】００６９
【補正方法】変更
【補正の内容】
【００６９】
【化２８】
2001166509.tif 000028
上記一般式（９）中、Ｘ１〜Ｘ３は置換基を有してもよいメチレン基、エチレン基、プロピレン基等の炭素原子数１〜２０のアルキレン、（ＣＲ２３＝ＣＲ２４）ｍ２、Ｃ＝Ｏ、Ｓ＝Ｏ、ＳＯ２、酸素原子または硫黄原子を示す。Ａｒ８およびＡｒ９は置換基を有してもよい２価のアリーレン（ベンゼン、ナフタレン、アントラセン、フェナンスレン、ピレン、チオフェン、ピリジン、フラン、キノリン、ベンゾキノリン、カルバゾール、フェノチアジン、ベンゾフラン、ベンゾチオフェン、ジベンゾフラン、ジベンゾチオフェン等より２個の水素原子を取り除いたもの）を示す。Ｒ２３およびＲ２４は置換基を有してもよいメチル基、エチル基、プロピル基等のアルキル基、置換基を有してもよいフェニル基、ナフチル基、チオフェニル基等のアリール基または水素原子を示し、Ｒ２３およびＲ２４は同一でも異なってもよい。ｍ２は１〜５の整数を示し、ｐ、ｑ、ｒ、ｓおよびｔは０〜１０の整数を示すが、同時に０であることはない）。
【手続補正３０】
【補正対象書類名】明細書
【補正対象項目名】００７０
【補正方法】変更
【補正の内容】
【００７０】
上記一般式（１０）中、Ｘ４およびＸ５は（ＣＨ２）ｍ３、（ＣＨ＝ＣＲ２５）ｍ４、Ｃ＝Ｏ、または酸素原子を示し、Ａｒ１０は置換基を有してもよい２価のアリーレン（ベンゼン、ナフタレン、アントラセン、フェナンスレン、ピレン、チオフェン、フラン、ピリジン、キノリン、ベンゾキノリン、カルバゾール、フェノチアジン、ベンゾフラン、ベンゾチオフェン、ジベンゾフラン、ジベンゾチオフェン等より２個の水素原子を取り除いたもの）を示す。Ｒ２５は置換基を有してもよいメチル基、エチル基、プロピル基等のアルキル基、置換基を有してもよいフェニル基、ナフチル基、チオフェニル基等のアリール基または水素原子を示す。ｍ３は１〜１０の整数を示し、ｍ４は１〜５の整数を示し、ｕ、ｖおよびｗは０〜１０の整数を示すが（０〜５の整数の時が特に好ましい。）、同時に０であることはない）。
【手続補正３１】
【補正対象書類名】明細書
【補正対象項目名】０１６９
【補正方法】変更
【補正の内容】
【０１６９】
【化２９】
2001166509.tif 000029
銅粉（４４５ｇ）を１，２−ジクロロベンゼン１．２ｋｇと共に１８０〜１９０℃で加熱攪拌を１５時間行った。反応液を濾過後、減圧下で溶媒を除去し、シリカゲルカラムを用いて残留物のカラム精製を行い、化合物３を１３２ｇ得た。
【手続補正３２】
【補正対象書類名】明細書
【補正対象項目名】０１７５
【補正方法】変更
【補正の内容】
【０１７５】
【化３０】
2001166509.tif 000030
化合物１（７０ｇ：０．３５ｍｏｌ）、化合物２（９８ｇ：０．４２ｍｏｌ）、無水炭酸カリウム（７３ｇ）および銅粉（１１１ｇ）を１，２−ジクロロベンゼン６００ｇと共に１８０〜１９０℃で加熱攪拌を１０時間行った。反応液を濾過後、減圧下で溶媒を除去し、シリカゲルカラムを用いて残留物のカラム精製を行い、化合物３を８６．２ｇ得た。
【手続補正３３】
【補正対象書類名】明細書
【補正対象項目名】０１７６
【補正方法】変更
【補正の内容】
【０１７６】
化合物３（８０ｇ：０．２６ｍｏｌ）をＮ，Ｎ−ジメチルホルムアミド３００ｇに加え、室温で攪拌しながらエタンチオールナトリウム塩（約９０％：６２ｇ）をゆっくり添加した。添加終了後そのまま室温で１時間攪拌した後、更に還流下で３時間加熱攪拌を行った。冷却後反応液を水にあけ、希塩酸で弱酸性にし、酢酸エチルで抽出し有機層を更に１．２Ｍの水酸化ナトリウム水溶液で抽出し、水層を希塩酸で酸性にして酢酸エチルで抽出し、無水硫酸ナトリウムで乾燥後減圧下で溶媒を除去した。シリカゲルカラムを用いて残留物のカラム精製を行い、化合物４を６４ｇ得た。
【手続補正３４】
【補正対象書類名】明細書
【補正対象項目名】０１７７
【補正方法】変更
【補正の内容】
【０１７７】
化合物４を（６０ｇ：０．２１ｍｏｌ）をＮ，Ｎ−ジメチルホルムアミド３００ｇに加え、室温で攪拌しながら苛性ソーダ（８．３ｇ）をゆっくり添加した。添加終了後そのまま室温で３０分間攪拌した後、１，２−ジヨードエタン（３１．７ｇ：０．１ｍｏｌ）をゆっくり滴下した。滴下終了後、３０分間攪拌した後、更に７０℃で５時間加熱攪拌を行った。反応液を水にあけ、トルエンで抽出を行い、有機層を更に水洗後無水硫酸ナトリウムで乾燥し、減圧下で溶媒を除去した。シリカゲルカラムを用いて残留物のカラム精製を行い、化合物５を４９．１ｇ得た。
【手続補正３５】
【補正対象書類名】明細書
【補正対象項目名】０１８２
【補正方法】変更
【補正の内容】
【０１８２】
【化３１】
2001166509.tif 000031
化合物１（５０ｇ：０．１２３ｍｏｌ）、化合物２（６２．４ｇ：０．３６９ｍｏｌ）、無水炭酸カリウム（２５．５ｇ）および銅粉（３２ｇ）を１，２−ジクロロベンゼン２００ｇと共に１８０〜１９０℃で加熱攪拌を１８時間行った。反応液を濾過後、減圧下で溶媒を除去し、残留物をトルエン／メタノール混合溶媒で２回再結晶を行い、化合物３を６０．２ｇ得た。
【手続補正３６】
【補正対象書類名】明細書
【補正対象項目名】０２１５
【補正方法】変更
【補正の内容】
【０２１５】
次に下記（２１）で示されるビスアゾ顔料５部、ポリビニルブチラール樹脂２部およびシクロヘキサノン６０部を、φ１ｍｍガラスビーズを用いたサンドミル装置で２４時間分散し、さらにテトラヒドロフラン６０部を加えて電荷発生層用塗料とした。この塗料を前記の中間層の上に浸漬コーティング法で塗布して、１００℃で１５分間乾燥して、膜厚０．２μｍの電荷発生層を形成した。
【手続補正３７】
【補正対象書類名】明細書
【補正対象項目名】０２１６
【補正方法】変更
【補正の内容】
【０２１６】
【化３２】
2001166509.tif 000032
ついで、テトラフルオロエチレン樹脂粒子（ルブロンＬ−２、ダイキン工業製）６部およびモノクロロベンゼン５０部をガラスビーズを用いたサンドミル装置で分散した。このテトラフルオロエチレン樹脂粒子分散液に表９の化合物例Ｎｏ．２９の正孔輸送性化合物６０部を加えて溶解した後ジクロロメタン３０部を加えて電荷輸送層用塗料を調製した。
【手続補正３８】
【補正対象書類名】明細書
【補正対象項目名】０２２２
【補正方法】変更
【補正の内容】
【０２２２】
（実施例２０）
実施例１１において正孔輸送性化合物Ｎｏ．２６３の量を４８部とし、更に下記式（１７）で示される構造を有するアクリルモノマーを１２部添加した以外は実施例１１と同様に電子写真感光体を作製し、評価した。
【手続補正３９】
【補正対象書類名】明細書
【補正対象項目名】０２２３
【補正方法】変更
【補正の内容】
【０２２３】
【化３３】
2001166509.tif 000033
（実施例２１〜２５）
実施例１において電子線の照射条件を表９５に示したように変えた以外は実施例１と同様に電子写真感光体を作製し、評価した。結果、削れ量、耐久画像は良好であったが、線量を上げることで初期の電子写真特性において、若干の感度ダウンや残留電位の上昇が見られた。
【手続補正４０】
【補正対象書類名】明細書
【補正対象項目名】０２２４
【補正方法】変更
【補正の内容】
【０２２４】
【表９５】
2001166509.tif 000034
（実施例２６）
実施例１において電荷発生層を形成した後、下記構造式（１８）で示されるスチリル化合物２０部
【手続補正４１】
【補正対象書類名】明細書
【補正対象項目名】０２２５
【補正方法】変更
【補正の内容】
【０２２５】
【化３４】
2001166509.tif 000035
および下記構造式（１９）で示される繰り返し単位を有するポリカーボネート樹脂１０部をモノクロロベンゼン５０部およびジクロロメタン２０部の混合溶媒中に溶解して調製した電荷輸送層用塗料を用いて、前記電荷発生層上に電荷輸送層を形成した。この時の電荷輸送層の膜厚は１０μｍであった。
次いで実施例１において調製したテトラフルオロエチレン樹脂分散液５６部に正孔輸送性化合物Ｎｏ．６  ６０部を加えて溶解した後、更にジクロロメタン３０部を加えて、表面保護層用塗料を調製した。この塗料をスプレーコーティング法により先の電荷輸送層上に塗布し、５０℃で１０分間乾燥させた後に、加速電圧１５０ｋＶ、線量３０Ｍｒａｄの条件で電子線を照射し樹脂を硬化し、膜厚５μｍの表面保護層を形成し、電子写真感光体を得た。この感光体を実施例１と同様に評価した。
【手続補正４２】
【補正対象書類名】明細書
【補正対象項目名】０２２６
【補正方法】変更
【補正の内容】
【０２２６】
【化３５】
2001166509.tif 000036
（比較例１）
実施例１において電荷発生層を形成した後、実施例２６における構造式（１８）のスチリル化合物１５部および下記構造式（２０）で示される繰り返し単位を有するポリメチルメタクリレート樹脂１５部
【手続補正４３】
【補正対象書類名】明細書
【補正対象項目名】０２２７
【補正方法】変更
【補正の内容】
【０２２７】
【化３６】
2001166509.tif 000037
をモノクロロベンゼン５０部およびジクロロメタン２０部の混合溶媒中に溶解して調製した電荷輸送層用塗料を用いて、前記電荷発生層上に電荷輸送層を形成した。このときの電荷輸送層の膜厚は１５μｍであった。この電子写真感光体を実施例１と同様に評価した結果、初期の電子写真特性は良好であったが、耐久での表面層の削れ量が多く、かぶり、傷などの画像欠陥が発生していた。さらに８０００枚以降は削れによって電荷輸送層の膜厚がうすくなり、帯電不良が発生し、画像形成が不可能となった。
【手続補正４４】
【補正対象書類名】明細書
【補正対象項目名】０２２９
【補正方法】変更
【補正の内容】
【０２２９】
（比較例３）
テトラフルオロエチレン樹脂粒子（ルブロンＬ−２、ダイキン工業製）１０部およびモノクロロベンゼン５０部をガラスビーズ入りサンドミル装置で分散した。このテトラフルオロエチレン樹脂粒子分散液に構造式（１８）のスチリル化合物１５部および構造式（２１）で示されるポリカーボネート樹脂１５部を加えて溶解した後ジクロロメタン３０部を加えて電荷輸送層用塗料を調製した。
【手続補正４５】
【補正対象書類名】明細書
【補正対象項目名】０２３０
【補正方法】変更
【補正の内容】
【０２３０】
【化３７】
2001166509.tif 000038
この塗料を用いて、前記比較例１と同様に電子写真感光体を作製し、評価した結果、比較例１および２に対して耐久性は向上は見られたが耐久後の画像欠陥が発生した。